(57)【要約】【課題】  参加者の理解を促進して円滑かつ充実した会議の運営を可能にする。【解決手段】  会議の参加者Ｍが使用する端末２１〜６と、支援装置３とが通信自在に接続され、端末２１〜６のうち１つの端末２１を進行役端末とし、他の端末２２〜６を回答者端末とし、進行役端末２１は、入力された会議の目的や会議での決定事項を含む会議情報を正解会議情報として支援装置３に送信し、回答者端末２２〜６は、入力された会議情報を回答会議情報として支援装置３に送信する。そして、支援装置３は、進行役端末２１から受信した正解会議情報と、回答者端末２２〜６から受信した回答会議情報とに基づいて、回答者端末２２〜６の参加者Ｍの会議情報に対する理解度を演算し、その演算結果を進行役端末２１に送信する。【選択図】  図１
2014222427.tif 000002
【特許請求の範囲】
【請求項１】
会議の参加者が使用する端末と、支援装置とが通信自在に接続され、
前記端末のうち１つの端末を進行役端末とし、他の端末を回答者端末とし、
前記進行役端末は、該進行役端末で入力された会議の目的や会議での決定事項を含む会議情報を、正解会議情報として前記支援装置に送信する正解送信手段を備え、
前記回答者端末は、該回答者端末で入力された前記会議情報を回答会議情報として前記支援装置に送信する回答送信手段を備え、
前記支援装置は、前記進行役端末から受信した正解会議情報と、前記回答者端末から受信した回答会議情報とに基づいて、前記回答者端末の参加者の前記会議情報に対する理解度を演算し、その演算結果を前記進行役端末に送信する理解度演算手段を備える、
ことを特徴とする会議支援システム。
【請求項２】
前記各端末は、前記進行役端末を選定する進行役選定手段を備える、
ことを特徴とする請求項１に記載の会議支援システム。
【請求項３】
前記進行役端末は、該進行役端末以外の端末のうちの一部の端末を前記回答者端末として選定する回答者選定手段を備える、
ことを特徴とする請求項１または２のいずれか１項に記載の会議支援システム。
【発明の詳細な説明】
【技術分野】
【０００１】
この発明は、会議の進行・運営を支援する会議支援システムに関する。
【背景技術】
【０００２】
例えば企業で行われる会議は、企業の利益を左右する重要なプロセスであるとともに、職場内での情報共有化やコミュ二ケーションの活性化などを図る上でも、重要な役割を担っている。このような会議では、会議で話し合った内容や決定された事項などを記録する議事録を作成し、話し合った内容や決定事項などを参加者全員で確認することが行われている。そして、このような議事録を自動で作成することで、会議の円滑な進行を支援する、というシステムが知られている（例えば、特許文献１参照。）。
【先行技術文献】
【特許文献】
【０００３】
【特許文献１】特開２０１２−２０８６３０号公報
【発明の概要】
【発明が解決しようとする課題】
【０００４】
ところで、会議では、参加者全員が会議の目的を理解した上で会議を開始し、会議中においても参加者全員が会議内容を正確に理解することが重要である。しかしながら、実際には、参加者全員が会議の目的や内容などを正確に理解しているとは限らず、非効率的、非生産的な会議になってしまう場合がある。すなわち、一部の参加者のみが真に会議に参加、討論し、他の参加者は会議に真に参加しているとは言えない、という状況があり得る。そして、このような非効率的、非生産的な会議では、議事録を作成して参加者に配布したとしても、議事録に目を通すだけに終わってしまい、内容を参加者全員で確認する、という目的を達成することが困難となる。
【０００５】
そこでこの発明は、参加者の理解を促進して円滑かつ充実した会議の運営を可能にする、会議支援システムを提供することを目的とする。
【課題を解決するための手段】
【０００６】
上記課題を解決するために、請求項１の発明は、会議の参加者が使用する端末と、支援装置とが通信自在に接続され、前記端末のうち１つの端末を進行役端末とし、他の端末を回答者端末とし、前記進行役端末は、該進行役端末で入力された会議の目的や会議での決定事項を含む会議情報を、正解会議情報として前記支援装置に送信する正解送信手段を備え、前記回答者端末は、該回答者端末で入力された前記会議情報を回答会議情報として前記支援装置に送信する回答送信手段を備え、前記支援装置は、前記進行役端末から受信した正解会議情報と、前記回答者端末から受信した回答会議情報とに基づいて、前記回答者端末の参加者の前記会議情報に対する理解度を演算し、その演算結果を前記進行役端末に送信する理解度演算手段を備える、ことを特徴とする会議支援システムである。
【０００７】
この発明によれば、例えば、会議の進行役（主催者）が他の参加者に対して、「この会議の目的を入力してください」と伝え、進行役端末の正解送信手段で、会議の目的（会議情報）を正解会議情報として支援装置に送信する。一方、他の参加者が、回答者端末の回答送信手段で、会議の目的（会議情報）を回答会議情報として支援装置に送信すると、理解度演算手段によって、正解会議情報と回答会議情報とに基づいて他の参加者の会議の目的（会議情報）に対する理解度が演算され、その演算結果が進行役端末に送信される。つまり、参加者が会議の目的など（会議情報）をどの程度理解しているか、正しく理解しているか、が進行役に通知される。
【０００８】
請求項２の発明は、請求項１に記載の会議支援システムにおいて、前記各端末は、前記進行役端末を選定する進行役選定手段を備える、ことを特徴とする。
【０００９】
請求項３の発明は、請求項１または２に記載の会議支援システムにおいて、前記進行役端末は、該進行役端末以外の端末のうちの一部の端末を前記回答者端末として選定する回答者選定手段を備える、ことを特徴とする。
【発明の効果】
【００１０】
請求項１の発明によれば、参加者が会議の目的や会議での決定事項など（会議情報）をどの程度理解しているか、正しく理解しているか、が進行役に通知されるため、参加者の理解度を確認しながら適正に会議を進行・運営することが可能となる。例えば、理解度が低い参加者に対して再度説明などを行うことで、参加者全員の理解度を高めることができる。さらに、参加者に会議の目的や会議での決定事項などを回答させることで、緊張感が高まり、真剣、積極的に会議に参加する意欲や理解度を促進することができる。これらの結果、参加者の理解を促進して円滑かつ充実した会議の運営が可能となる。
【００１１】
請求項２の発明によれば、進行役端末を選定可能なため、多様かつ円滑な会議の運営が可能となる。例えば、複数の議題がある場合、議題が変わった祭に進行役端末を変えて進行役を変えることで、複数の議題に対しても円滑かつ充実した会議を運営することが可能となる。しかも、各端末の進行役選定手段で進行役端末を選定できるため、全参加者が容易かつ迅速に進行役端末つまり進行役を変えることができる。
【００１２】
請求項３の発明によれば、一部の端末を回答者端末として選定可能なため、会議での決定事項など（会議情報）に応じて回答者端末つまり回答者を選定することで、会議での決定事項などに対応・関連した参加者の理解度を促進することができる。この結果、より円滑かつ充実した会議の運営が可能となる。
【図面の簡単な説明】
【００１３】
【図１】この発明の実施の形態に係る会議支援システムを示す概略構成図である。
【図２】図１のシステムにおける端末の構成ブロック図である。
【図３】図２の端末の会議タスクの構成図である。
【図４】図３の会議タスクで登録される参加者情報のデータ構成図である。
【図５】図１のシステムにおける支援装置の構成ブロック図である。
【図６】図５の支援装置の理解度プログラムのフローチャートである。
【図７】図１のシステムにおいて、進行役端末に表示される各参加者の理解度を示す画面図である。
【発明を実施するための形態】
【００１４】
以下、この発明を図示の実施の形態に基づいて説明する。
【００１５】
図１は、この発明の実施の形態に係る会議支援システム１を示す概略構成平面図である。この会議支援システム１は、会議の進行・運営を支援するシステムであり、会議の参加者Ｍが使用する端末２１〜６と、支援装置３とが通信自在に接続されている。ここで、この実施の形態では、参加者Ｍが６名で、会議室に設置された会議テーブル４に、各椅子に対応して端末２１〜６が配設されている場合について説明する。
【００１６】
端末２１〜６は、すべて同等の構成であり、図２に示すように、入力部２１と、表示部２２と、通信部２３と、会議タスク（正解送信手段、回答送信手段、進行役選定手段、回答者選定手段）２４と、これらを制御などする中央処理部２５とを備えている。入力部２１は、後述する各種の選定や会議情報などを入力するためのインターフェイスであり、キーボードやマウスなどで構成されている。表示部２２は、後述する各種の選定画面や会議情報などを表示するためのディスプレイである。通信部２３は、支援装置３とデータ通信するためのインターフェイスであり、この実施の形態では、有線通信の場合を図示しているが、無線通信であってもよい。また、支援装置３にデータ・情報を送信する場合には、端末２１〜６の端末番号（識別情報）を付加するようになっている。
【００１７】
会議タスク２４は、参加者Ｍの氏名を登録したり、進行役を選定したり、会議の目的や会議での決定事項などの会議情報を支援装置３に送信したりするためのプログラムであり、図３に示すように、初期モード２４１と、参加者登録モード２４２と、進行役選定モード（進行役選定手段）２４３と、進行役モード２４４と、回答者モード（回答送信手段）２４５とを備えている。
【００１８】
初期モード２４１は、モード２４２〜２４５を選択するためのモード・プログラムであり、会議タスク２４の初期画面として表示部２２に、モード２４２〜２４５を選択するための画面を表示する。そして、いずれかのモード２４２〜２４５が入力部２１で選択されると、選択されたモード２４２〜２４５に移行するものである。
【００１９】
参加者登録モード２４２は、参加者Ｍの氏名などを登録するためのモード・プログラムであり、図４に示すように、各端末２１〜６（端末番号）に対して、この端末２１〜６を使用する参加者Ｍの氏名や部署などを入力、登録できるようになっている。そして、各端末２１〜６に対して参加者Ｍの氏名や部署などが入力部２１で入力されると、そのデータ・情報を参加者情報として選支援装置３に送信するものである。
【００２０】
進行役選定モード２４３は、端末２１〜６のうち１つの端末２１〜６を進行役端末として選定するためのモード・プログラムであり、この進行役選定モード２４３が選択されると、まず、このモード２４３が選択された旨を支援装置３に送信する。これを受けて支援装置３から参加者情報を受信すると、端末２１〜６ごとに参加者Ｍの氏名と選択部（チェック枠）とを示す画面を、表示部２２に表示する。そして、いずれかの端末２１〜６（参加者Ｍ）の選択部に入力部２１でチェックすると、その端末２１〜６の端末番号を選支援装置３に送信するものである。
【００２１】
また、既にいずれかの端末２１〜６（参加者Ｍ）の選択部がチェックされている場合には、このチェック・フラグを外さないと、別の選択部にチェックが行えないようになっている。つまり、同時には複数の端末２１〜６を進行役端末として選定できないようになっている。
【００２２】
進行役モード２４４は、進行役端末のみ（進行役の参加者Ｍのみ）が移行できるモード・プログラムとなっている。つまり、この進行役モード２４４が選択されると、このモード２４４が選択された旨を支援装置３に送信する。そして、この端末２１〜６が進行役端末でない場合には、移行を認めない旨が支援装置３から送信され、これを受けて、進行役でないので進行役モード２４４に移行できない旨を表示部２２に表示する。一方、この端末２１〜６が進行役端末の場合には、移行を許可する旨が支援装置３から送信され、これを受けて回答者選択モード（回答者選定手段）２４６か質問モード（正解送信手段）２４７かを選択するための画面を表示部２２に表示し、選択に従って各モード２４６、２４７に移行する。
【００２３】
回答者選択モード２４６は、進行役端末以外のすべての端末２１〜６または一部の端末２１〜６を回答者端末として選定するためのモード・プログラムであり、この回答者選択モード２４６が選択されると、まず、このモード２４６が選択された旨を支援装置３に送信する。これを受けて支援装置３から参加者情報と進行役端末の端末番号とを受信すると、端末２１〜６ごとに参加者Ｍの氏名、部署と選択部（チェック枠）とを示す画面を、表示部２２に表示する。
【００２４】
ここで、進行役端末には選択部が表示されず、進行役端末を回答者端末として選定できないようになっている。また、すべての選択部には、初期値としてチェックが入力されており、初期設定では、進行役端末以外のすべての端末２１〜６を回答者端末としている。そして、入力部２１によって端末２１〜６の選択部からチェックを外すと、その端末２１〜６が回答者端末ではなくなり、選択完了ボタンをクリックすると、チェックが入力されている端末２１〜６の端末番号を選支援装置３に送信するものである。また、チェックを外した後に、再度チェックを入力することができ、さらに、部署ごとに、チェックを外したり入力したりすることができるようになっている。この際、選択された部署に含まれる全端末２１〜６が回答者端末に選定されたり、回答者端末ではなくなったりする。
【００２５】
質問モード２４７は、会議の目的や会議中の確認事項、会議での決定事項などの会議情報を、正解会議情報として支援装置３に送信などするためのモード・プログラムであり、まず、このモード２４７が選択さると、自端末２１〜６つまり進行役端末の表示部２２に、正解会議情報を入力するための画面を表示する。と同時に、このモード２４７が選択された旨を支援装置３に送信する。これを受けて支援装置３から回答者端末に対して、回答者モード２４５に移行すべき旨が送信される。そして、会議情報が入力部２１で入力されると、これを正解会議情報として選支援装置３に送信するとともに、後述するように、各参加者Ｍの理解度を示すための画面（図７）を表示部２２に表示するものである。
【００２６】
また、質問モード２４７では、後述する回答者の理解度に基づいて、合否を判定する基準値を設定できるようになっている。例えば、理解度が７０％以上であれば合格とする場合、正解会議情報を入力するための画面のなかの判定基準値の枠に、「７０％」と入力すると、支援装置３にその基準値が送信されるようになっている。一方、この基準値を設定しない場合には、初期設定された基準値で合否が判定される。
【００２７】
回答者モード２４５は、会議の目的や会議中の確認事項、会議での決定事項などの会議情報を、回答会議情報として支援装置３に送信するためのモード・プログラムであり、上記のように、このモード２４５に移行すべき旨を支援装置３から受信した場合や、入力部２１で選択された場合に移行する。ここで、入力部２１で選択された場合には、まず、このモード２４５が選択された旨を支援装置３に送信し、この端末２１〜６が回答者端末でない場合には、移行を認めない旨が支援装置３から送信され、これを受けて、回答者でないので回答者モード２４５に移行できない旨を表示部２２に表示する。一方、この端末２１〜６が回答者端末の場合には、移行を許可する旨が支援装置３から送信され、これを受けて回答者モード２４５に移行する。
【００２８】
そして、回答者モード２４５に移行すると、回答会議情報を入力するための画面を表示部２２に表示し、会議情報が入力部２１で入力されると、これを回答会議情報として選支援装置３に送信するものである。
【００２９】
このような各モード２４１〜２４７では、入力部２１で選択することで、あるモード２４１〜２４７から他の２４１〜２４７に直接移行できるようになっている。また、このような端末２１〜６は、専用の端末で構成してもよいし、汎用コンピュータで構成してもよい。
【００３０】
支援装置３は、図５に示すように、通信部３１と、記憶部３２と、理解度プログラム（理解度演算手段）３３と、これらを制御などする中央処理部３４とを備えている。通信部３１は、各端末２１〜６とデータ通信するためのインターフェイスである。
【００３１】
記憶部３２は、各種のデータ・情報を記憶するメモリであり、次のようなデータ・情報を記憶する。まず、会議テーブル４上の各端末２１〜６の配設位置が記憶されており、これにより、後述するように、各参加者Ｍが座っている位置を特定して表示できるようになっている。また、端末２１〜６から受信した、参加者情報（各端末２１〜６に対する参加者Ｍの氏名や部署など）や、進行役端末として選定された端末２１〜６の端末番号、回答者端末として選定された端末２１〜６の端末番号、進行役端末から受信した正解会議情報、合否判定基準値、回答者端末から受信した回答会議情報などを記憶する。
【００３２】
理解度プログラム３３は、進行役端末から受信した正解会議情報と、回答者端末から受信した回答会議情報とに基づいて、回答者端末の参加者Ｍの会議情報に対する理解度を演算し、その演算結果を進行役端末に送信するプログラムである。つまり、進行役の参加者Ｍが認識している会議の目的など（会議情報）と、他の参加者Ｍ（回答者）が認識している会議の目的などとを比較して、会議の目的などに対する他の参加者Ｍの理解度を演算などするプログラムである。ここで、正解会議情報は、主として文章で受信され、回答会議情報は、主として単数または複数の単語（キーワード）で受信されるものとする。
【００３３】
具体的には、進行役端末から正解会議情報を受信した後、回答者端末から回答会議情報を受信する度に起動され、図６に示すように、まず、正解会議情報のキーワードを抽出する（ステップＳ１）。ここで、キーワードは、名詞、動詞、副詞などの単語を意味し、キーワードの抽出とは、文章である正解会議情報から単語を抽出することである。例えば、正解会議情報が、「東北地方における製品Ａの販売強化」の場合、「東北地方」、「製品Ａ」、「販売強化」を抽出する。同様にして、回答会議情報のキーワードを抽出する（ステップＳ２）。ただし、回答会議情報が単語のみで構成される場合には、回答会議情報中の各単語がそのままキーワードとなる。
【００３４】
次に、抽出した正解会議情報のキーワードに対する、回答会議情報のキーワードの一致度に基づいて、回答者の理解度を演算する（ステップＳ３）。つまり、正解のキーワードと回答のキーワードとがどの程度一致しているかに基づいて、回答者の理解度を演算する。例えば、前例の場合、正解会議情報のキーワードが「東北地方」、「製品Ａ」、「販売強化」の３つで、回答会議情報のキーワードが「東北地方」、「販売強化」の２つの場合、理解度を６７％（＝２／３）と演算する。
【００３５】
また、キーワードごとに重み（ポイント）付けをして理解度を演算してもよい。例えば、日付や固有名詞、企業に特有の専門用語などに対して、ポイントを高く設定して理解度を演算する。この場合、前例では、キーワード「製品Ａ」のポイントが高くなり、この「製品Ａ」が回答会議情報に含まれていない場合には、理解度を低く演算する。
【００３６】
さらに、必須のキーワードを進行役（進行役端末）が指定できるようにしてもよく、この場合、そのキーワードが回答会議情報に含まれているか否かによって理解度を演算してもよい。例えば、前例で「製品Ａ」が必須のキーワードに指定されている場合、この「製品Ａ」が回答会議情報に含まれていれば理解度が１００％と演算し、含まれていなければ理解度が０％と演算する。
【００３７】
次に、演算した理解度が合否判定基準値以上であるか否かを判定し（ステップＳ４）、合否判定基準値以上の場合には、正解会議情報を回答者端末に送信する（ステップＳ５）。これにより、回答者端末の表示部２２に正解会議情報が表示され、回答者は正解会議情報を知得、確認することができる。
【００３８】
続いて、回答会議情報と理解度と合否判定結果を進行役端末に送信する（ステップＳ６）。これにより、後述するように、各回答者の理解度などが進行役端末の表示部２２に表示されるものである、さらに、回答会議情報を受信する毎に、全回答者の理解度の平均値を演算し、その平均理解度に基づく全体の合否を判定して、その結果を進行役端末に送信するようになっている。また、このような演算結果や正解会議情報、回答会議情報は、随時記憶部３２に記憶され、後の解析・分析に活用できるようになっている。
【００３９】
次に、このような構成の会議支援システム１の作用および、この会議支援システム１を用いた会議運営方法について説明する。
【００４０】
まず、各参加者Ｍが会議テーブル４の椅子に座り、各端末２１〜６を起動させる。このとき、各参加者Ｍは、どの椅子に座り、どの端末２１〜６を起動させてもよい。次に、例えば会議の主催者が、会議タスク２４を起動して、参加者登録モード２４２によって各端末２１〜６を使用する参加者Ｍの氏名や部署などを入力することで、参加者情報が選支援装置３に送信され、記憶される。続いて、進行役選定モード２４３によって、進行役端末を選定すると、その端末２１〜６の端末番号が支援装置３に送信され、記録される。
【００４１】
ここで、主催者であるＡＡ氏が第１の端末２１を使用し、第１の端末２１が進行役端末として選定された場合について、主として以下に説明する。また、ＢＢ氏が第２の端末２２、ＣＣ氏が第３の端末２３、ＤＤ氏が第４の端末２４、ＥＥ氏が第５の端末２５、ＦＦ氏が第６の端末２６を使用するものとする。
【００４２】
次に、進行役モード２４４の回答者選択モード２４６によって、回答者端末を選定すると、その端末２１〜６の端末番号が支援装置３に送信され、記録される。ここで、進行役端末２１以外のすべての端末２２〜６が回答者端末として選定された場合について、主として以下に説明する。
【００４３】
このような設定、登録を行った後に会議を開始し、必要に応じて参加者Ｍの理解度を確認する。例えば、最初に主催者が進行役となり、「まず、今日の会議の目的を確認させて頂きます。みなさん、会議の目的を示すキーワード（言葉）をいくつか端末に入力してください。」と伝える。とともに、進行役端末２１が質問モード２４７に入ることで、上記のようにして、すべての回答者端末２２〜６が回答者モード２４５に移行する。
【００４４】
そして、主催者が会議の目的（正解会議情報）を入力し、ある参加者（回答者）Ｍが会議の目的を示すキーワード（回答会議情報）を入力すると、理解度プログラム３３が起動され、上記のようにして、この参加者Ｍの理解度や合否などが演算され、その演算結果が進行役端末２１の表示部２２に表示される。すなわち、図７に示すように、主催者（進行役）を除く各参加者Ｍの理解度や合否が表示されるとともに、平均的な理解度や全体の合否が表示される。また、この画面で、ある参加者Ｍをクリック・指定すると、その参加者Ｍが入力した会議の目的を示すキーワード（回答会議情報）が表示されるようになっている。そして、理解度が低い参加者Ｍに対しては、主催者が会議の目的を説明して理解を促進する。
【００４５】
このようにして会議を進め、例えば、議題・議案が変わって進行役が変わる場合には、上記のようにして、進行役選定モード２４３によって進行役端末を変更、選定する。同様に、回答者を変更する必要が場合には、回答者選択モード２４６によって回答者端末を変更、選定する。例えば、特定の参加者Ｍや部署のみに関連する事項の場合、その参加者Ｍや部署の端末２１〜６を回答者端末に選定する。そして、新たな進行役が、上記と同様にして、会議での決定事項や会議中の懸案・検討事項、確認事項など（会議情報）について、必要に応じて参加者Ｍの理解度を確認しながら、会議を進行していくものである。
【００４６】
以上のように、この会議支援システム１および会議運営方法によれば、各参加者Ｍが会議の目的や会議での決定事項など（会議情報）をどの程度理解しているか、正しく理解しているか、が進行役に通知されるため、各参加者Ｍの理解度を確認しながら適正に会議を進行・運営することが可能となる。例えば、理解度が低い参加者Ｍに対して再度説明などを行うことで、参加者Ｍ全員の理解度を高めることができる。また、参加者Ｍに会議の目的や会議での決定事項などを回答させることで、緊張感が高まり、真剣、積極的に会議に参加する意欲や理解度を促進することができる。
【００４７】
さらに、参加者Ｍ全体の理解度や合否も進行役に通知されるため、進行役は、会議をこのまま進めてよいのか、あるいは、一旦中断して参加者Ｍ全員の認識を統一化した方がよいのか、などを判断することができる。これらの結果、参加者Ｍの理解を促進して円滑かつ充実した会議の運営が可能となる。
【００４８】
また、進行役端末つまり進行役を選定可能なため、多様かつ円滑な会議の運営が可能となる。例えば、複数の議題・議案がある場合、議題が変わった祭に進行役端末を変えて進行役を変えることで、複数の議題に対しても円滑かつ充実した会議を運営することが可能となる。しかも、各端末２１〜６の会議タスク２４で進行役端末を選定できるため、全参加者Ｍが容易かつ迅速に進行役端末つまり進行役を変更することができる。
【００４９】
さらには、一部の端末２１〜６を回答者端末として選定可能なため、議題や会議での決定事項など（会議情報）に応じて回答者端末つまり回答者を選定することで、議題や会議での決定事項などに対応・関連した参加者Ｍの理解度を促進することができる。この結果、より円滑かつ充実した会議の運営が可能となる。
【００５０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、理解度が合否判定基準値以上の回答者端末に正解会議情報を送信しているが、会議の資料を送信するようにしてもよい。すなわち、会議の目的を理解した参加者Ｍに対してのみ資料を送ったり、会議中の内容を理解した参加者Ｍに対してのみ順次資料を送ったりしてもよい。
【００５１】
また、各端末２１〜６が進行役端末となったり回答者端末となったりできるようになっているが、進行役端末や回答者端末を固定設定してもよい。さらに、各端末２１〜６と支援装置３とが別体となっているが、進行役端末に支援装置３の機能（理解度プログラム３３等）を一体的に備えてもよい。
【符号の説明】
【００５２】
１        会議支援システム
２１〜６    端末
２１      進行役端末
２２〜６    回答者端末
２１      入力部
２２      表示部
２３      通信部
２４      会議タスク（正解送信手段、回答送信手段、進行役選定手段、回答者選定手段）
３        支援装置
３１      通信部
３２      記憶部
３３      理解度プログラム（理解度演算手段）
Ｍ        参加者
【図１】
2014222427.tif 000003
【図２】
2014222427.tif 000004
【図３】
2014222427.tif 000005
【図４】
2014222427.tif 000006
【図５】
2014222427.tif 000007
【図６】
2014222427.tif 000008
【図７】
2014222427.tif 000009
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
会議の参加者が使用する端末と、支援装置とが通信自在に接続され、
前記端末のうち１つの端末を進行役端末とし、他の端末を回答者端末とし、
前記進行役端末は、該進行役端末で入力された会議の目的や会議での決定事項を含む会議情報を、正解会議情報として前記支援装置に送信する正解送信手段を備え、
前記回答者端末は、該回答者端末で入力された前記会議情報を回答会議情報として前記支援装置に送信する回答送信手段を備え、
前記支援装置は、前記進行役端末から受信した正解会議情報と、前記回答者端末から受信した回答会議情報とに基づいて、前記回答者端末の参加者の前記会議情報に対する理解度を演算し、その演算結果を前記進行役端末に送信する理解度演算手段を備え、
前記各端末は、前記進行役端末を選定する進行役選定手段を備える、
ことを特徴とする会議支援システム。
【請求項２】
前記支援装置は、前記理解度が合否判定基準値以上の前記回答者端末に会議の資料を送信する、
ことを特徴とする請求項１に記載の会議支援システム。
【請求項３】
前記進行役端末は、該進行役端末以外の端末のうちの一部の端末を前記回答者端末として選定する回答者選定手段を備える、
ことを特徴とする請求項１または２のいずれか１項に記載の会議支援システム。
【手続補正２】
【補正対象書類名】明細書
【補正対象項目名】０００６
【補正方法】変更
【補正の内容】
【０００６】
上記課題を解決するために、請求項１の発明は、会議の参加者が使用する端末と、支援装置とが通信自在に接続され、前記端末のうち１つの端末を進行役端末とし、他の端末を回答者端末とし、前記進行役端末は、該進行役端末で入力された会議の目的や会議での決定事項を含む会議情報を、正解会議情報として前記支援装置に送信する正解送信手段を備え、前記回答者端末は、該回答者端末で入力された前記会議情報を回答会議情報として前記支援装置に送信する回答送信手段を備え、前記支援装置は、前記進行役端末から受信した正解会議情報と、前記回答者端末から受信した回答会議情報とに基づいて、前記回答者端末の参加者の前記会議情報に対する理解度を演算し、その演算結果を前記進行役端末に送信する理解度演算手段を備え、前記各端末は、前記進行役端末を選定する進行役選定手段を備える、ことを特徴とする会議支援システムである。
【手続補正３】
【補正対象書類名】明細書
【補正対象項目名】０００８
【補正方法】変更
【補正の内容】
【０００８】
請求項２の発明は、請求項１に記載の会議支援システムにおいて、前記支援装置は、前記理解度が合否判定基準値以上の前記回答者端末に会議の資料を送信する、ことを特徴とする。
【手続補正４】
【補正対象書類名】明細書
【補正対象項目名】００１１
【補正方法】変更
【補正の内容】
【００１１】
また、進行役端末を選定可能なため、多様かつ円滑な会議の運営が可能となる。例えば、複数の議題がある場合、議題が変わった祭に進行役端末を変えて進行役を変えることで、複数の議題に対しても円滑かつ充実した会議を運営することが可能となる。しかも、各端末の進行役選定手段で進行役端末を選定できるため、全参加者が容易かつ迅速に進行役端末つまり進行役を変えることができる。